(57)【要約】      （修正有）【課題】  損傷しにくく再利用可能で、耐荷重性の損われることのない、コンクリート型枠用金属製台座を提供する。【解決手段】  大径側の端面１ａに離脱工具の係止凹部２を設けた金属製の円錐台状主体１を備え、該主体１の周側面１ｂと、該周側面１ｂに連続し、しかも、前記係止凹部２を取り囲んだ前記端面１ａの周端部１ａ´を、樹脂チューブ熱収縮して成る保護膜３で套装する。【選択図】図１
2007169952.tif 000002
【特許請求の範囲】
【請求項１】
セパレータやインサートなどの締結杆の端部に螺合して取付け、金属製の円錐台状主体の大径側の端面に離脱用工具の係止凹部を設けたものであって、前記円錐台状主体の周側面と、該周側面に連続し、しかも、前記係止凹部を取り囲む前記端面の周端部を、樹脂チューブを熱収縮して成る保護膜で套装した、コンクリート型枠用金属製台座。
【発明の詳細な説明】
【技術分野】
【０００１】
本発明は、セパレータやインサートなどの締結杆の端部に取付けてコンクリート型枠を所定間隔に締着するために用いたり、或いは支保工用ブラケットの支承材として適用する、コンクリート型枠用金属製台座に関するものである。
【背景技術】
【０００２】
例えば、セパレータの端部に螺合組付けてコンクリート型枠を内側から支える台座（概し、テーパコーンと指称されている）としては、鉄製の軸部の外側に合成樹脂（ポリプロピレン）製の円錐台状体を組付けて構成したものがあるが、耐荷重性に欠けるところから、樹脂を主要素材とする該コーン（プラスチックコーンなどと称される）に代えて全体を金属（鉄）で一体成形した台座が耐荷重性の必要とする個所で用いられている。
【発明の開示】
【発明が解決しようとする課題】
【０００３】
金属概し鉄のみで構成した台座は、耐荷重性すなわち強度的に前者のプラスチック製台座と較べて優れているが、打設したコンクリートに付着し易く、型枠脱型後のコンクリート体からの離脱操作が困難で、離脱し得たとしても、コンクリートによりその周側面に損傷を受け、再利用に（高価であるため再利用される）際して当該損傷部にコンクリートが充填されるためますます離脱操作が困難となり、再利用上の問題があった。
【０００４】
本発明は、金属製台座の斯様な欠点を除去し、従来と変わることなく耐荷重性を備えたコンクリート型枠用金属製台座を提供すべく創案したものである。
【課題を解決するための手段】
【０００５】
セパレータやインサートなどの締結杆の端部に螺合して取付け、金属製の円錐台状主体の大径側の端面に離脱用工具の係止凹部を設けたものであって、前記円錐台状主体の周側面と、該周側面に連続し、しかも、前記係止凹部を取り囲む前記端面の周端部を、樹脂チューブを熱収縮して成る保護膜で套装した、構成としたものである。
【発明の効果】
【０００６】
本発明によれば、工具係止部を成す係止凹部は外部に露出状態にあるから、保護膜に損傷を与えずに、係止凹部に工具を係止して、これを回動させることによりコンクリート体からの離脱を行うことができ、該離脱作業時に、円錐台状主体は保護膜によってコンクリートに接することなく、かつ、素材の性質上、保護膜に対して自由に回動してコンクリートから離脱するから離脱操作時において損傷を受けることもないし、保護膜は主体の端面の周端に係止した状態にあるから、主体に伴ってコンクリート内から離脱させることができ、総じて、主体外周面に損傷の受けることのない、再利用の確実に行える製品を提供できる。
【実施例】
【０００７】
図面は本発明に係る、コンクリート型枠用金属製台座の実施例を示し、各実施例の台座Ａは、大径側（コンクリートｃの表面ｃ´側）の端面１ａに、離脱用工具の係止凹部２を設けた、金属（概し、鉄）製の円錐台状主体１を備え、該主体１の周側面１ｂの全域と、該周側面１ｂに連続し、しかも、前記係止凹部２を取り囲んだ前記端面１ａの周端部１ａ´を、樹脂（実施例はポリオレフィン系樹脂）チューブを熱収縮して成る保護膜３で套装して構成したものである。
【０００８】
第一実施例
図１乃至図４で示す第一実施例コンクリート型枠用の金属製台座Ａは、前記主体１の小径側の端面１ｃに主体１の軸線の延長上にしてねじ杆４を突設し、主体１の、前記大径側の端面１ａには軸線上にしてねじ穴５ａを、また該ねじ穴５ａを取り囲むようにして前記係止凹部２（その内周縁２ａが正面視六角形、外周縁２ｂが円形を成す）をそれぞれ設けたものである。
【０００９】
この第一実施例の台座Ａは、インサート１１の端面に備えた螺子穴１１ａにねじ杆４を螺合してインサート１１端部に組付け、型枠（又はせき板）に代えてコンクリートｃの前記表面ｃ´に重ね合わせた、例えば、足場用のブラケットｂを通じて固定ねじ１２を台座Ａのねじ穴５ａに螺合締付けるようにして、ブラケットｂの取付け台座としても用いるようにしたものである。
【００１０】
そして、ブラケットｂ取外し後、係止凹部２に、六角形状の内周縁２ａを利用して適宜の離脱工具を係止して台座Ａを回動させてインサート１１からねじ杆４を離脱させ、次段の利用に備えるのである。
【００１１】
第二実施例
図５乃至図８で示す第二実施例は、円錐台状の主体１とこれを套装した前記保護膜３のみで本発明に係る金属製台座Ａを構成するもので、主体１の軸線上にはねじ孔４ｂを設け、該ねじ孔４ｂの、前記大径側端面１ａ部側には、該ねじ孔４ｂと連通する前記係止凹部２を設け、係止凹部２のねじ孔４ｂを取り囲む周縁２ｂ´を正面視六角形と成して離脱工具を係止するようにしたものである。
【００１２】
この第二実施例の台座Ａは、セパレータ１３の端部の螺子部１３ａにねじ孔４ｂの、主体１の小径側端面１ｃ部側の一半を螺合してセパレータ１３端部に組付け、ねじ孔４ｂの、前記大径側端１ａ部側の他の一半に型枠１４を通じて、型枠１４の締着装置１５を構成する締着杆１６を螺合して、前記型枠１４の受座として用いるようにしたものである。
【００１３】
なお、図中、１７は締着装置１５を構成する縦、横のパイプ、１８は同じく締着装置１５を構成し、パイプ１７を介して前記型枠１４を本発明に係る台座Ａに押し付ける押圧座金で、該座金１８はナット１９で締付けられる。
【００１４】
そして、型枠１４の脱型後、コンクリートｃの表面の適所に配置されて露出した係止凹部２に周縁２ｂ´の六角形状を利用して適宜の離脱工具を係止して回動させ、セパレータ１３から本台座Ａを離脱させ、次段の利用に備えるのである。
【図面の簡単な説明】
【００１５】
【図１】第一実施例の一部欠截側面図。
【図２】第一実施例の正面図。
【図３】第一実施例の使用状態を示す断面図。
【図４】第一実施例の離脱時の状態を示す説明図。
【図５】第二実施例の一部欠截側面図。
【図６】第二実施例の正面図。
【図７】第二実施例の使用状態を示す断面図。
【図８】第二実施例の離脱時の状態を示す断面図。
【符号の説明】
【００１６】
１      円錐台状主体
１ａ    端面
１ｂ    周側面
２      係止凹部
３      保護膜
【図１】
2007169952.tif 000003
【図２】
2007169952.tif 000004
【図３】
2007169952.tif 000005
【図４】
2007169952.tif 000006
【図５】
2007169952.tif 000007
【図６】
2007169952.tif 000008
【図７】
2007169952.tif 000009
【図８】
2007169952.tif 000010